【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
各ピクチャを分割した第１のブロックを１つまたは複数の第２のブロックに分割し、インター予測を用いて動画像を符号化する動画像符号化装置であって、
符号化対象となるピクチャ内の、符号化対象となる前記第２のブロックに近接する１以上の第３のブロックのインター予測情報から１以上の第１インター予測情報候補の導出処理を行う第１予測情報導出部と、
前記符号化対象となるピクチャとは異なるピクチャ内の、前記符号化対象となる前記第２のブロックと同一位置またはその付近に存在する第４のブロックのインター予測情報から第２インター予測情報候補の導出処理を行う第２予測情報導出部と、
前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築部と、
前記予測情報候補リストにおける前記予測情報候補から、前記符号化対象となる前記第２のブロックの前記インター予測に用いるインター予測情報の候補を選択し、インター予測情報を示すインデックスを決定する選択部と、
前記符号化対象となる前記第２のブロックのインター予測に用いるインター予測情報を示すインデックスを符号化する符号化部とを備え、
前記第１予測情報導出部は、前記符号化対象となる前記第２のブロックを含む前記第１のブロックと同じ第１のブロックに含まれる第５のブロックの符号化情報を参照せずに前記第１インター予測情報候補の導出処理を行うとともに、
前記第２予測情報導出部は、前記第１のブロックを上側のブロックと、下側のブロックとで上下に１：３に分割する分割モードで、前記符号化対象となる前記第２のブロックを含む前記第１のブロックと同じ第１のブロックに含まれる第５のブロックの符号化情報を参照せずに、参照インデックスの値をデフォルト値として、前記参照インデックスに基づいて、前記第２インター予測情報候補の導出処理を行うことを特徴とする動画像符号化装置。
【請求項２】
各ピクチャを分割した第１のブロックを１つまたは複数の第２のブロックに分割し、インター予測を用いて動画像を符号化する動画像符号化方法であって、
符号化対象となるピクチャ内の、符号化対象となる前記第２のブロックに近接する１以上の第３のブロックのインター予測情報から１以上の第１インター予測情報候補の導出処理を行う第１予測情報導出ステップと、
前記符号化対象となるピクチャとは異なるピクチャ内の、前記符号化対象となる前記第２のブロックと同一位置またはその付近に存在する第４のブロックのインター予測情報から第２インター予測情報候補の導出処理を行う第２予測情報導出ステップと、
前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、
前記予測情報候補リストにおける前記予測情報候補から、前記符号化対象となる前記第２のブロックの前記インター予測に用いるインター予測情報の候補を選択し、インター予測情報を示すインデックスを決定する選択ステップと、
前記符号化対象となる前記第２のブロックのインター予測に用いるインター予測情報を示すインデックスを符号化する符号化ステップとを備え、
前記第１予測情報導出ステップは、前記符号化対象となる前記第２のブロックを含む前記第１のブロックと同じ第１のブロックに含まれる第５のブロックの符号化情報を参照せずに前記第１インター予測情報候補の導出処理を行うとともに、
前記第２予測情報導出ステップは、前記第１のブロックを上側のブロックと、下側のブロックとで上下に１：３に分割する分割モードで、前記符号化対象となる前記第２のブロックを含む前記第１のブロックと同じ第１のブロックに含まれる第５のブロックの符号化情報を参照せずに、参照インデックスの値をデフォルト値として、前記参照インデックスに基づいて、前記第２インター予測情報候補の導出処理を行うことを特徴とする動画像符号化方法。
【請求項３】
各ピクチャを分割した第１のブロックを１つまたは複数の第２のブロックに分割し、インター予測を用いて動画像を符号化する動画像符号化プログラムであって、
符号化対象となるピクチャ内の、符号化対象となる前記第２のブロックに近接する１以上の第３のブロックのインター予測情報から１以上の第１インター予測情報候補の導出処理を行う第１予測情報導出ステップと、
前記符号化対象となるピクチャとは異なるピクチャ内の、前記符号化対象となる前記第２のブロックと同一位置またはその付近に存在する第４のブロックのインター予測情報から第２インター予測情報候補の導出処理を行う第２予測情報導出ステップと、
前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、
前記予測情報候補リストにおける前記予測情報候補から、前記符号化対象となる前記第２のブロックの前記インター予測に用いるインター予測情報の候補を選択し、インター予測情報を示すインデックスを決定する選択ステップと、
前記符号化対象となる前記第２のブロックのインター予測に用いるインター予測情報を示すインデックスを符号化する符号化ステップとをコンピュータに実行させ、
前記第１予測情報導出ステップは、前記符号化対象となる前記第２のブロックを含む前記第１のブロックと同じ第１のブロックに含まれる第５のブロックの符号化情報を参照せずに前記第１インター予測情報候補の導出処理を行うとともに、
前記第２予測情報導出ステップは、前記第１のブロックを上側のブロックと、下側のブロックとで上下に１：３に分割する分割モードで、前記符号化対象となる前記第２のブロックを含む前記第１のブロックと同じ第１のブロックに含まれる第５のブロックの符号化情報を参照せずに、参照インデックスの値をデフォルト値として、前記参照インデックスに基づいて、前記第２インター予測情報候補の導出処理を行うことを特徴とする動画像符号化プログラム。
【手続補正２】
【補正対象書類名】明細書
【補正対象項目名】００１６
【補正方法】変更
【補正の内容】
【００１６】
各ピクチャを分割した第１のブロックを１つまたは複数の第２のブロックに分割し、インター予測を用いて動画像を符号化する動画像符号化装置であって、符号化対象となるピクチャ内の、符号化対象となる前記第２のブロックに近接する１以上の第３のブロックのインター予測情報から１以上の第１インター予測情報候補の導出処理を行う第１予測情報導出部と、前記符号化対象となるピクチャとは異なるピクチャ内の、前記符号化対象となる前記第２のブロックと同一位置またはその付近に存在する第４のブロックのインター予測情報から第２インター予測情報候補の導出処理を行う第２予測情報導出部と、前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築部と、前記予測情報候補リストにおける前記予測情報候補から、前記符号化対象となる前記第２のブロックの前記インター予測に用いるインター予測情報の候補を選択し、インター予測情報を示すインデックスを決定する選択部と、前記符号化対象となる前記第２のブロックのインター予測に用いるインター予測情報を示すインデックスを符号化する符号化部とを備え、前記第１予測情報導出部は、前記符号化対象となる前記第２のブロックを含む前記第１のブロックと同じ第１のブロックに含まれる第５のブロックの符号化情報を参照せずに前記第１インター予測情報候補の導出処理を行うとともに、前記第２予測情報導出部は、前記第１のブロックを上側のブロックと、下側のブロックとで上下に１：３に分割する分割モードで、前記符号化対象となる前記第２のブロックを含む前記第１のブロックと同じ第１のブロックに含まれる第５のブロックの符号化情報を参照せずに、参照インデックスの値をデフォルト値として、前記参照インデックスに基づいて、前記第２インター予測情報候補の導出処理を行うことを特徴とする動画像符号化装置を提供する。
各ピクチャを分割した第１のブロックを１つまたは複数の第２のブロックに分割し、インター予測を用いて動画像を符号化する動画像符号化方法であって、符号化対象となるピクチャ内の、符号化対象となる前記第２のブロックに近接する１以上の第３のブロックのインター予測情報から１以上の第１インター予測情報候補の導出処理を行う第１予測情報導出ステップと、前記符号化対象となるピクチャとは異なるピクチャ内の、前記符号化対象となる前記第２のブロックと同一位置またはその付近に存在する第４のブロックのインター予測情報から第２インター予測情報候補の導出処理を行う第２予測情報導出ステップと、前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、前記予測情報候補リストにおける前記予測情報候補から、前記符号化対象となる前記第２のブロックの前記インター予測に用いるインター予測情報の候補を選択し、インター予測情報を示すインデックスを決定する選択ステップと、前記符号化対象となる前記第２のブロックのインター予測に用いるインター予測情報を示すインデックスを符号化する符号化ステップとを備え、前記第１予測情報導出ステップは、前記符号化対象となる前記第２のブロックを含む前記第１のブロックと同じ第１のブロックに含まれる第５のブロックの符号化情報を参照せずに前記第１インター予測情報候補の導出処理を行うとともに、前記第２予測情報導出ステップは、前記第１のブロックを上側のブロックと、下側のブロックとで上下に１：３に分割する分割モードで、前記符号化対象となる前記第２のブロックを含む前記第１のブロックと同じ第１のブロックに含まれる第５のブロックの符号化情報を参照せずに、参照インデックスの値をデフォルト値として、前記参照インデックスに基づいて、前記第２インター予測情報候補の導出処理を行うことを特徴とする動画像符号化方法を提供する。
各ピクチャを分割した第１のブロックを１つまたは複数の第２のブロックに分割し、インター予測を用いて動画像を符号化する動画像符号化プログラムであって、符号化対象となるピクチャ内の、符号化対象となる前記第２のブロックに近接する１以上の第３のブロックのインター予測情報から１以上の第１インター予測情報候補の導出処理を行う第１予測情報導出ステップと、前記符号化対象となるピクチャとは異なるピクチャ内の、前記符号化対象となる前記第２のブロックと同一位置またはその付近に存在する第４のブロックのインター予測情報から第２インター予測情報候補の導出処理を行う第２予測情報導出ステップと、前記第１インター予測情報候補が導出された場合には、その導出された前記第１インター予測情報候補を、前記第２インター予測情報候補が導出された場合には、その導出された前記第２インター予測情報候補を、それぞれ加えた所定の予測情報候補からなる予測情報候補リストを構築する候補リスト構築ステップと、前記予測情報候補リストにおける前記予測情報候補から、前記符号化対象となる前記第２のブロックの前記インター予測に用いるインター予測情報の候補を選択し、インター予測情報を示すインデックスを決定する選択ステップと、前記符号化対象となる前記第２のブロックのインター予測に用いるインター予測情報を示すインデックスを符号化する符号化ステップとをコンピュータに実行させ、前記第１予測情報導出ステップは、前記符号化対象となる前記第２のブロックを含む前記第１のブロックと同じ第１のブロックに含まれる第５のブロックの符号化情報を参照せずに前記第１インター予測情報候補の導出処理を行うとともに、前記第２予測情報導出ステップは、前記第１のブロックを上側のブロックと、下側のブロックとで上下に１：３に分割する分割モードで、前記符号化対象となる前記第２のブロックを含む前記第１のブロックと同じ第１のブロックに含まれる第５のブロックの符号化情報を参照せずに、参照インデックスの値をデフォルト値として、前記参照インデックスに基づいて、前記第２インター予測情報候補の導出処理を行うことを特徴とする動画像符号化プログラムを提供する。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】